(57)【要約】【課題】  配信されるコンテンツの記録再生操作を簡単化する。【解決手段】  ステージ１では配信受信端末（３）と操作機器（１）の間で通信にて操作機器（１）に配信受信端末（３）が登録されてステージ２へ移行し、ステージ２では操作機器（１）とコンテンツ配信サーバ（２）間通信にて配信するコンテンツを確定した後コンテンツに関する情報を操作機器（１）に登録するとともに登録された配信受信端末（３）へのコンテンツ再生要求指示をしてステージ３へ移行し、ステージ３では配信受信端末（３）とコンテンツ配信サーバ（２）間通信にてステージ２での要求に基づき配信受信端末（３）にコンテンツが配信されてステージ４へ移行し、ステージ４では操作機器（１）と配信受信端末（３）で通信が行われ配信された該コンテンツの再生指示を行うようになっている。【選択図】  図２
2005202879.tif 000002
【特許請求の範囲】
【請求項１】
コンテンツの配信要求操作を行う操作機器と、
前記操作機器からの配信要求に基づきコンテンツの配信を行うコンテンツ配信サーバと、
該コンテンツ配信サーバが配信したコンテンツを記録する配信受信端末と
を有するコンテンツ配信システム。
【請求項２】
コンテンツの配信要求と再生要求とに関する操作を行う操作機器と、
前記操作機器からの配信要求に基づきコンテンツの配信を行うコンテンツ配信サーバと、
該コンテンツ配信サーバが配信したコンテンツを記録するとともに、前記操作機器からの再生要求に基づき記録したコンテンツを再生する配信受信端末と
を有するコンテンツ配信システム。
【請求項３】
前記操作機器には前記配信受信端末を登録することが可能であり、
前記操作機器を操作してコンテンツ配信サーバへ登録されている前記配信受信端末へのコンテンツの配信要求指示を受けた場合に、コンテンツ配信サーバが前記配信受信端末に対してコンテンツを配信することを特徴とする請求項１又は２に記載のコンテンツ配信システム。
【請求項４】
前記コンテンツ配信システムにおいてやり取りされるデータは、
前記配信受信端末が前記操作機器に送信する際に記憶される前記配信受信端末に記憶されている自機器を一意に識別するための機器ＩＤと、
前記コンテンツ配信サーバが前記操作機器に送信する各コンテンツのタイトルテキストデータと、
前記コンテンツ配信サーバが前記操作機器及び前記配信受信端末に送信する各コンテンツを一意に識別するためのコンテンツＩＤと、
前記コンテンツ配信サーバが前記配信受信端末に送信するコンテンツ再生データと、
タイトルテキストデータとコンテンツＩＤを含むネットワーク記述言語データと
を含むことを特徴とする請求項１から３までのいずれか１項に記載のコンテンツ配信システム。
【請求項５】
コンテンツを配信するコンテンツ配信サーバとの通信を行う通信インターフェイスと、
該コンテンツ配信サーバとの通信の制御を行う第１通信制御部と、
コンテンツを受信する  配信受信端末との通信を行う通信インターフェイスと、
該配信受信端末との通信に関する制御を行う第２通信制御部と、
前記配信受信端末を管理するデバイス管理部と、
コンテンツを管理するコンテンツ管理部と、
コンテンツの配信と再生との操作のための操作部と、
タイトルテキスト表示のための表示部と、
前記コンテンツ配信サーバから受信したネットワーク言語を解析し所定のデータを取得するネットワーク言語解析部と
を有することを特徴とする操作機器。
【請求項６】
前記操作部に対して、
前記配信受信端末の表示及び登録操作と、
配信コンテンツの表示及び確定操作と、
再生コンテンツの表示及び確定操作と、
に関する操作が割当てられていることを特徴とした請求項５に記載の操作機器。
【請求項７】
前記デバイス管理部は、
複数の前記配信受信端末から受信した前記機器ＩＤを登録するエリアを有するテーブルを有して該テーブルを管理することを特徴とした請求項５に記載の操作機器。
【請求項８】
前記ネットワーク言語解析部は、
前記コンテンツ配信サーバから受信したネットワーク言語を取得しタイトルテキストデータとコンテンツＩＤとを抽出することを特徴とした請求項５に記載の操作機器。
【請求項９】
前記第１通信制御部は、配信要求に関するメッセージを送信することを特徴とした請求項５に記載の操作機器。
【請求項１０】
前記第２通信制御部は、機器登録に関する要求メッセージと再生に関する要求メッセージとを送信するとともに、機器登録に関する返信メッセージを受信することを特徴とする請求項５に記載の操作機器。
【請求項１１】
前記コンテンツ配信サーバが送信するネットワーク言語は、タイトルテキストデータを表す専用タグとコンテンツＩＤを表す専用タグとを有することを特徴とする請求項５に記載の操作機器。
【請求項１２】
前記操作機器が前記コンテンツ配信サーバに送信する配信要求に関するメッセージは、
前記操作機器及び配信を望む前記配信受信端末の機器ＩＤを格納したエリアと、配信を望むコンテンツのコンテンツＩＤを格納したエリアとを有することを特徴とする請求項１から１１までのいずれか１項に記載のコンテンツ配信システム。
【請求項１３】
前記操作機器が前記配信受信端末に送信する再生に関する要求メッセージは、前記操作機器の機器ＩＤを格納したエリアと、再生を望むコンテンツのコンテンツＩＤを格納したエリアとを有することを特徴とする請求項１から１１までのいずれか１項に記載のコンテンツ配信システム。
【請求項１４】
コンテンツ配信サーバとの通信を行う通信インターフェイスと、
該通信インターフェイスの制御を行う第１通信制御部と、
操作機器との通信を行う通信インターフェイスと、
該通信インターフェイスの制御を行う第２通信制御部と、
前記操作機器の管理を行うデバイス管理部と、
コンテンツの管理を行うコンテンツ管理部と、
配信されたコンテンツを再生する再生部と、
再生するコンテンツの権利を判断する著作権管理部と、
配信されたコンテンツを記録蓄積するコンテンツ蓄積部と、
を有することを特徴とする配信受信端末。
【請求項１５】
前記配信受信端末における第１それぞれの通信制御部は、コンテンツ再生データに関するメッセージを受信することを特徴とする請求項１４に記載の配信受信端末。
【請求項１６】
前記第２通信制御部は、機器登録に関する要求メッセージと再生に関する要求メッセージを受信するとともに機器登録に関する返信メッセージを送信することを特徴とする請求項１４に記載の配信受信端末。
【請求項１７】
前記配信受信端末におけるデバイス管理部は、前記操作機器から受信した機器ＩＤを登録するエリアを有するテーブルを有して該テーブルを管理することを特徴とした請求項１４に記載の配信受信端末。
【請求項１８】
前記コンテンツ管理部は、前記コンテンツ配信サーバから受信したコンテンツＩＤと、
該コンテンツをコンテンツ蓄積部に記録したアドレス位置と、
を対応付けて記録するテーブルを有することを特徴とした請求項１４に記載の配信受信端末。
【請求項１９】
前記コンテンツ再生データは、該コンテンツを再生操作する権利のある機器の機器ＩＤと再生する権利のある機器の機器ＩＤとを格納した権利エリアと、楽曲を再生するためのデータを格納した再生データエリアを有し、著作権管理部は該権利エリアに基づき再生する権利のある機器と操作する権利のある機器とを判断することを特徴とする請求項１５に記載の配信受信端末。
【請求項２０】
機器の操作を行う操作機器及びコンテンツを受信する配信受信端末との通信を行う通信部と、該通信の制御を行う通信制御部とを有し、
前記操作機器から前記配信受信端末へのコンテンツ配信要求に応じて、前記配信受信端末に対してコンテンツ再生データ及びコンテンツに関する操作情報を配信することを特徴としたコンテンツ配信サーバ。
【請求項２１】
前記コンテンツ配信サーバは、前記操作機器から受信した前記配信受信端末の機器ＩＤに基づいて、配信を行うコンテンツを再生するための権利情報エリアを付加することを特徴とした請求項２０に記載のコンテンツ配信サーバ。
【請求項２２】
機器の操作を行う操作機器における機器登録方法であって、
前記操作機器における機器ＩＤを、コンテンツを受信する配信受信端末との間の通信を行う通信部を通じて前記配信受信端末に対して一斉送信するステップと、
前記配信受信端末からの該配信受信端末の機器登録のメッセージを検出して、前記配信受信端末が送信する前記機器ＩＤを、前記通信部を通じて受信し取得するステップと、
受信取得した前記機器ＩＤを登録するステップと
を有することを特徴とする方法。
【請求項２３】
配信受信端末における機器登録方法であって、
機器の操作を行う操作機器からの該操作機器の登録メッセージを検出して、前記操作機器が送信した機器ＩＤを前記操作機器との通信部を通じて受信取得するステップと、
受信し取得した前記機器ＩＤがコンテンツを受信する配信受信端末に登録されているか否かを判断するステップと、
登録されている場合には処理を終了し、登録されていない場合には受信取得した前記機器ＩＤを新規登録するステップと、
前記配信受信端末における機器ＩＤを前記操作機器との通信部を通じて送信するステップと
を有することを特徴とする方法。
【請求項２４】
機器の操作を行う操作機器におけるコンテンツ配信確定方法であって、
配信するコンテンツを確定するステップと、
コンテンツを配信する配信受信端末を確定するステップと、
コンテンツに関する内部テーブルを更新するステップと、
上記確定したコンテンツと前記配信受信端末からコンテンツ配信メッセージ生成するとともに前記コンテンツ配信サーバに前記コンテンツ配信メッセージを送信するステップと
を有する方法。
【請求項２５】
コンテンツを配信するコンテンツ配信サーバの配信方法であって、
機器を操作する操作機器からコンテンツを受信する配信受信端末へのコンテンツ配信に関するメッセージを受信取得するステップと、
受信したメッセージから配信するコンテンツの種類と配信する前記配信受信端末及び操作機器の機器情報を取得するステップと、
配信するコンテンツ再生データに取得した操作する機器情報と再生する機器の機器情報とを付加して権利情報を加えたコンテンツ再生データを作成するステップと、
前記権利情報を加えた各コンテンツ再生データを前記配信受信端末に対して送信するステップと
を有することを特徴とする方法。
【請求項２６】
コンテンツを受信する配信受信端末における受信記録方法であって、
コンテンツを配信するコンテンツ配信サーバから前記配信受信端末のみで再生可能なコンテンツ再生データを含むメッセージを受信取得するステップと、
該コンテンツ再生データを記録するとともに内部に有するコンテンツに関する内部テーブルを更新するステップとを実行することを特徴とする方法。
【請求項２７】
機器を操作する操作機器における再生指示方法であって、
再生するコンテンツを確定するステップと、
再生する配信受信機器を確定するステップと、
確定した前記コンテンツと前記配信受信機器からコンテンツ再生メッセージ生成するとともに、前記配信受信機器に対して前記メッセージを送信するステップと
を有することを特徴とする方法。
【請求項２８】
コンテンツを受信する配信受信端末における再生方法であって、
機器を操作する操作機器が送信した再生メッセージを受信取得するステップと、
前記再生メッセージからコンテンツと前記操作機器に関する機器情報を取得するステップと、
記録されている前記コンテンツの再生データの権利情報エリアから前記操作機器に関する機器情報を呼出し受信した前記機器情報と比較するステップと、
記録されている前記コンテンツ再生データの権利情報エリアから前記再生機器に関する機器情報を呼出して内部に記録されているコンテンツを受信する配信受信端末の機器情報と比較するステップと、
上記それぞれの比較が共に一致した場合にのみ再生を開始するステップと
を有することを特徴とする方法。
【請求項２９】
コンテンツの配信に関する操作を行う操作機器と、コンテンツを配信するコンテンツ配信サーバと、コンテンツを受信する複数のコンテンツ受信端末と、を有するコンテンツ配信システムにおけるコンテンツ配信方法であって、
前記コンテンツ配信サーバに対して、前記コンテンツ受信端末に対してコンテンツの配信を行う旨を要求するステップと、
前記コンテンツ配信サーバから前記コンテンツ受信端末に対してコンテンツの配信を行うステップと
を有することを特徴とする方法。
【請求項３０】
さらに、前記操作機器からの操作により前記コンテンツ受信端末における前記コンテンツの再生を指示するステップを有することを特徴とする請求項２９に記載の方法。
【請求項３１】
コンテンツの配信に関する操作を行う操作機器と、コンテンツを配信するコンテンツ配信サーバと、コンテンツを受信する複数のコンテンツ受信端末と、を有するコンテンツ配信システムにおけるコンテンツ配信方法であって、
前記コンテンツ配信サーバに対して、複数の前記コンテンツ受信端末のうちから選択された複数の被選択端末に対してコンテンツの一斉配信を行う旨を要求するステップと、
前記コンテンツ配信サーバから前記被選択端末に対してコンテンツの一斉配信を行い前記被選択端末によりコンテンツを受信するステップと
を有することを特徴とする方法。
【請求項３２】
さらに、前記被選択端末にいずれかに対して前記操作機器からの操作に基づいて受信した前記コンテンツの再生を指示するステップを有することを特徴とする請求項３１に記載の方法。
【請求項３３】
前記コンテンツは、該コンテンツを受信したコンテンツ受信端末において、外部への転送を抑止された状態で蓄積されることを特徴とする請求項３１又は３２に記載の方法。
【請求項３４】
請求項２２から３３までのいずれか１項に記載のステップをコンピュータに実行させるためのプログラム。
【請求項３５】
機器を操作する操作機能を有する携帯電話機と、
端末により再生可能な楽曲を配信する音楽配信サーバと、
該音楽配信サーバからの一斉配信を受ける端末であって音楽再生機能を有する複数の音楽配信受信端末と、
を有する音楽配信システム。
【請求項３６】
さらに、複数の前記音楽配信受信端末を含む機器をそれぞれ識別する機器ＩＤとしてＩＰアドレスを、コンテンツを識別するコンテンツＩＤとして各楽曲に一意に割当てられた楽曲ＩＤを、メタデータとして前記携帯電話機で表示する楽曲タイトルデータを、コンテンツ再生データとして複数の前記音楽配信受信端末で再生する楽曲再生データを用いることを特徴とする請求項３５に記載の音楽配信システム。
【請求項３７】
コンテンツの配信に関する操作を行う配信コンテンツ操作装置と、配信されたコンテンツの記録再生を行う複数の配信コンテンツ記録再生装置と、コンテンツの配信を行うコンテンツ配信サーバと、を有するコンテンツ配信システムにおけるコンテンツ配信方法であって、
前記コンテンツ操作装置から前記コンテンツ配信サーバへのコンテンツ配信要求に応じて、複数の前記音楽配信受信端末へ同じ内容の再生用コンテンツを同時配信するステップを有することを特徴とする方法。
【請求項３８】
前記音楽配信受信端末は、受信した前記再生用コンテンツを外部への転送を抑止するように制御されていることを特徴とする請求項３５に記載の方法。
【発明の詳細な説明】
【技術分野】
【０００１】
本発明は、コンテンツの記録再生技術に関し、特に、配信されたコンテンツの記録再生に関する使用者のユーザビリティを向上させるための技術に関する。
【背景技術】
【０００２】
情報機器とこれらを結ぶネットワーク技術との進展に伴い、今日では、コンテンツ配信サービスを用いたコンテンツ記録再生システムが普及しつつある。コンテンツ記録再生システムでは、例えばパーソナルコンピュータ（以下「ＰＣ」と称する。）を用いて、インターネット上の音楽配信サービスサイトから所望の音楽の選択しその楽曲データを購入し、種々の技術により著作権を保護しながらダウンロードしてＰＣ上の蓄積装置、例えばハードディスクドライブ（以下、「ＨＤＤ」と称する。）に記録・蓄積する。記録されたコンテンツを再生し、また、記録されたコンテンツを必要に応じて著作権を保護しながら小型の光磁気カードやフラッシュメモリを搭載した専用の携帯型プレーヤーに転送して再生させる。上記のオーディオシステムでは、ＰＣ上の専用ソフトウエアにより予め転送したい楽曲データを選択し、ＰＣと携帯型プレーヤーとの間でコンテンツの転送を行っていた。
【０００３】
また、関連技術として、他の機器にコンテンツを転送する前に転送する機器との間でデータの転送が許可されているか否かの認証を行い、転送が許可されている場合にのみ暗号化の解除を行い、コンテンツを転送するデータ蓄積装置が開示されている（例えば、特許文献１参照）。
【特許文献１】特開２００１−１８６４６７号公報（データ蓄積装置及びデータ再生方法）
【発明の開示】
【発明が解決しようとする課題】
【０００４】
上記のコンテンツ配信サービスを用いたコンテンツ記録再生システムでは、携帯型プレーヤーにより再生・視聴したい音楽に関しては、ＰＣによりダウンロード要求を行い、ダウンロードした音楽をＰＣ内のハードディスクなどに記憶し、この記憶されている音楽の楽曲データを、ＰＣ上の専用ソフトウエアなどを用いて、携帯型プレーヤ、より詳細には光磁気カードやフラッシュメモリなど携帯型プレーヤーの記憶媒体に事前に転送する必要がありＰＣからのダウンロード要求及びＰＣへのダウンロード処理と、ＰＣから携帯型プレーヤへのデータ転送処理との２段階を経る必要があるため、処理が煩雑になるという問題があった。また、使用するそれぞれの機器に機器認証をしてコンテンツを管理する著作権管理システムを搭載する必要があり、処理が複雑化する。
【０００５】
さらに、今日では、光磁気カードやフラッシュメモリの記憶容量も大容量化、また、デジタルコンテンツを圧縮する技術も高品質により小さなデータサイズにすることが可能になってきているため、大容量の記憶媒体に多くのコンテンツを記録できるようになり、上記の問題がさらに顕在化しつつある。本発明は、より簡単なコンテンツの記録再生技術を提供することを目的とする。
【課題を解決するための手段】
【０００６】
本発明は、コンテンツ配信装置に対してダウンロード要求を行うための操作装置と、実際にコンテンツ配信装置からコンテンツのダウンロードを受けるデータ受信端末とを別の装置とすることを特徴とする。すなわち、本発明の一観点によれば、コンテンツの配信要求操作を行う操作機器と、前記操作機器からの配信要求に基づきコンテンツの配信を行うコンテンツ配信サーバと、該コンテンツ配信サーバが配信したコンテンツを記録する配信受信端末とを有するコンテンツ配信システムが提供される。
【０００７】
また、コンテンツの配信要求と再生要求とに関する操作を行う操作機器と、前記操作機器からの配信要求に基づきコンテンツの配信を行うコンテンツ配信サーバと、該コンテンツ配信サーバが配信したコンテンツを記録するとともに、前記操作機器からの再生要求に基づき記録したコンテンツを再生する配信受信端末とを有するコンテンツ配信システムが提供される。
【０００８】
前記操作機器には前記配信受信端末が登録可能であり、前記操作機器を操作してコンテンツ配信サーバへ登録されている前記配信受信端末へのコンテンツの配信要求指示を受けた場合に、コンテンツ配信サーバが前記配信受信端末に対してコンテンツを配信することを特徴とする。
【０００９】
コンテンツの配信を要求する機器と、コンテンツが実際に配信される装置であって、再生を行う受信端末装置とを別の装置にすることで、コンテンツのダウンロード後の専用ソフトウェアなどによるデータ転送を不要にする。尚、受信端末の再生操作などを行うリモートコントロール装置を操作装置として用いても良いし、携帯電話機を操作装置として用いても良い。
【００１０】
本発明の他の観点によれば、上記構成を前提として、コンテンツを配信する際に、配信を希望するコンテンツ受信端末に対して一斉にコンテンツを配信する点を特徴とする。すなわち、本発明は、コンテンツの配信に関する操作を行う配信コンテンツ操作装置と、配信されたコンテンツの記録再生を行う配信コンテンツ記録再生装置と、コンテンツの配信を行うコンテンツ配信サーバと、を有するコンテンツ配信システムにおけるコンテンツ配信技術である。前記コンテンツ操作装置から前記コンテンツ配信サーバへの１つのコンテンツ配信要求に応じて、複数の前記配信コンテンツ記録装置へ同じ内容の再生用コンテンツを同時配信する。この際、コンテンツ再生用データは外部への転送を抑止するように制御されている。
【発明の効果】
【００１１】
本発明では、コンテンツ配信サービスを用いたコンテンツ記録再生システムにおいて、著作権を保護しつつ再生することができる。また、コンテンツ転送を必要としないため、ユーザビリティ（使い勝手）が向上するという利点がある。
【発明を実施するための最良の形態】
【００１２】
以下、本発明に係るコンテンツ記録再生システムについて図面を参照しつつ詳細に説明を行う。尚、本明細書における（１）などの符号は、添付図面の符号１に対応する。まず、図１を参照して、本発明に係るコンテンツ配信システムのシステム構成例について説明する。本発明に係るコンテンツ記録再生システムは、コンテンツ配信要求とコンテンツ再生要求とを指示する操作機器（１）と、コンテンツ配信を行うコンテンツ配信サーバ（２）と、配信コンテンツを記録蓄積し再生する配信受信端末（３）とを有して構成され、それらの機器間の通信は、操作機器（１）と配信受信端末（３）間は例えば数メートル間の比較的短距離の通信を可能とする無線通信により接続可能となっており、コンテンツ配信サーバ（２）と操作機器（１）及び配信受信端末（３）間は、比較的長距離間の通信を可能とする例えばインターネット網により接続されている。
【００１３】
次に、図２を参照して、図１に示すコンテンツ配信システムの状態遷移例について説明する。適宜図１も参照して説明する。まず、第１ステージ１では、配信受信端末（３）と操作機器（１）の間で通信することにより操作機器１に複数の配信受信端末（３）が登録されて第２ステージ２へ移行し、第２ステージ２では操作機器（１）とコンテンツ配信サーバ（２）間通信により配信するコンテンツを確定した後、コンテンツに関する情報を操作機器（１）に登録するとともに登録された複数の配信受信端末（３）へのコンテンツ再生要求指示をしてステージ３へ移行し、ステージ３では配信受信端末（３）とコンテンツ配信サーバ（２）間通信にて第２ステージ２での要求に基づき複数の配信受信端末（３）にコンテンツが配信されて第４ステージ４へ移行し、第４ステージ４では操作機器（１）と配信受信端末（３）で通信が行われ配信された該コンテンツの再生指示を行うようになっている。
【００１４】
また、本コンテンツ配信システムでは、データは、配信受信端末（３）が操作機器（１）に送信して記憶される複数の配信受信端末（３）にそれぞれ記憶されている操作機器（１）を一意に識別するための機器ＩＤと、コンテンツ配信サーバ（２）が操作機器（１）に送信する各コンテンツのタイトルテキストデータと、コンテンツ配信サーバ（２）が操作機器（１）及び配信受信端末（３）に送信する各コンテンツを一意に識別するためのコンテンツＩＤと、コンテンツ配信サーバ（２）が配信受信端末（３）に送信するコンテンツ再生データと、タイトルテキストデータとコンテンツＩＤを含むネットワーク記述言語データがやりとりされる。
【００１５】
以下では、本発明に係るコンテンツ配信システムの一例について音楽配信を例にしてより詳細に説明する。尚、操作機器（１）には上記の操作機能を組込んだ携帯電話機（１０）を、コンテンツ配信サーバ（２）には楽曲を配信する音楽配信サーバ（２０）を、配信受信端末（３）には、ポータブルオーディオプレーヤやコンポーネントオーディオのような、音楽再生機能を有する音楽配信受信端末（３０）を、また、データに関しては、機器ＩＤにはＩＰアドレスを、コンテンツＩＤには各楽曲に一意に割当てられた楽曲ＩＤを、メタデータには携帯電話機（１０）で表示する楽曲タイトル（テキスト）データを、コンテンツ再生データには音楽配信受信端末（３０）で再生する楽曲再生データを適用した例について説明する。
【００１６】
まず、図１および図３を参照して、携帯電話機（１０）の構成について説明する。本実施の形態による携帯電話機（１０）は、音楽配信サーバ（２０）との通信を行うインターフェイスである第一通信部（１１）と、該通信の制御を行う第一通信制御部（１２）と、音楽配信受信端末（３０）との通信を行うインターフェイスである第二通信部（１３）と、該通信の制御を行う第二通信制御部（１４）と、複数の音楽配信受信端末（３０）の登録し、呼出し、削除する処理を管理するデバイス管理部（１５）と、楽曲を管理する楽曲管理部（１６）と、音楽配信と音楽再生の操作のための表示を行うＬＣＤ表示部（１７）と、音楽配信サーバ（２０）から受信したＨＴＭＬ記述言語を解析し所定のデータを取得するネットワーク言語解析部（１８）と、操作部（１９）とを有しており、各部はバスライン（ＢＵＳ１）にて接続されている。
【００１７】
より詳細に説明すると、操作部（１９）には、複数の音楽配信受信端末（３０）の一覧表示及び登録操作、配信楽曲の一覧表示及び確定操作、再生楽曲の一覧表示及び確定操作の機能が割当てられている。また、デバイス管理部（１５）は、音楽配信受信端末の登録操作が指定された時に第二通信制御部（１４）が第二通信部（１３）を通じてそれぞれの音楽配信受信端末（３０）から受信した音楽配信受信端末（３０）のＩＰアドレスと音楽配信受信端末（３０）をユーザが認識するためのニックネーム（テキスト）データを登録し、配信楽曲の一覧表示及び確定操作並びに再生楽曲の一覧表示及び確定操作のときに参照する後述の内部テーブル（１５−１）を有している。また、ＬＣＤ表示部（１７）は、音楽配信サーバ（２０）が配信サービス可能な楽曲のリストであり、各楽曲は携帯電話機（１０）が認識する楽曲タイトル（テキスト）データと予め割当てられている各楽曲を一意に識別するための楽曲ＩＤを含むＨＴＭＬ記述言語データによるリストを受信しＬＣＤ表示部（１７）に表示させるとともに配信楽曲の確定操作が指定されたときには確定した楽曲の楽曲タイトルデータと楽曲ＩＤを抽出する機能を有している。また、楽曲管理部（１６）はネットワーク言語解析部（１８）が抽出したこの楽曲タイトルデータと楽曲ＩＤを登録し再生楽曲の一覧表示及び確定操作のときに参照する後述の内部テーブル（１６−１）を有している。
【００１８】
また、第一通信制御部（１２）は、配信楽曲の一覧表示操作が指定されたときには前記ＨＴＭＬ記述言語データを受信し、確定操作が指定されたときには配信を望む楽曲の楽曲ＩＤと自らのＩＰアドレスと配信を望む複数の音楽配信受信端末（３０）のＩＰアドレス（リスト）を送信するようになっている。また、第二通信制御部（１４）は音楽配信受信端末（３０）の登録操作が指定されたときには自らのＩＰアドレスを一斉送信するとともに音楽配信受信端末（３０）から複数の音楽配信受信端末（３０）のそれぞれのＩＰアドレスを受信し、再生楽曲の確定操作が指定されたときには再生する音楽配信受信端末（３０）へ再生を望む楽曲の楽曲ＩＤと自らのＩＰアドレスを送信するようになっている。
【００１９】
次いで、図４を参照して、図１に示す音楽配信サーバ（２０）が配信する配信楽曲リストに関するＨＴＭＬ記述言語データについて説明する。ＨＴＭＬ記述言語には、各楽曲のタイトル名を表す専用タグである「ｓｏｎｇ＿ｔｉｔｌｅ」タグと、各楽曲の楽曲ＩＤを表す「ｓｏｎｇ＿ｉｄ」タグと、が規定されている。音楽配信サーバ（２０）は、ＨＴＭＬ記述言語データの各楽曲に対して上記専用タグ情報を組込んで送信し、また、ネットワーク言語解析部（１８）はタグ解析処理時にＬＣＤ表示部（１７）に表示するためのタグ解析処理をする他に、上記２種類のタグを認識して、楽曲タイトル名と楽曲ＩＤを抽出する。図４には、リストを定義する＜ｕｌ＞タグ内に、リストの要素を定義する＜ｌｉ＞タグにより４つの楽曲が示されている。＜ｌｉ＞タグ内には、合わせて、＜ｓｏｎｇ＿ｔｉｔｌｅ＞タグと＜ｓｏｎｇ＿ｉｄ＞タグとが含まれ、このタグを認識して楽曲タイトル名と楽曲ＩＤとを抽出する。例えば、一番目の楽曲は、楽曲タイトル名が“いろ”で楽曲ＩＤが“７３８９”であることをネットワーク言語解析部（１８）が認識するようになっている。
【００２０】
次に、図１と図５とを参照して、携帯電話機（１０）が音楽配信サーバ（２０）に送信する楽曲配信の（リクエスト）データについて説明する。メッセージは、リクエストした携帯電話機（１０）のＩＰアドレスを格納した送信側アドレス部（４０）と、配信をリクエストする複数の音楽配信受信端末（３０）のＩＰアドレスをもれなく格納した配信先アドレス（リスト）部（４１）と、配信する楽曲の楽曲ＩＤを格納した楽曲ＩＤ格納部（４２）と、から構成されている。次に、図１と図６とを参照して、携帯電話機（１０）が複数の音楽配信受信端末（３０）に送信する楽曲再生の（リクエスト）データについて説明する。（リクエスト）データは、リクエストした携帯電話機（１０）のＩＰアドレスを格納した送信側アドレス部（４５）と、再生する楽曲の楽曲ＩＤを格納した楽曲ＩＤ格納部（４６）と、から構成されている。
【００２１】
次に、図１と図７と、を参照して、携帯電話機（１０）のデバイス管理部（１５）の内部テーブルについて説明する。内部テーブルのパラメータは、携帯電話機（１０）自らが順番に機器を０から順番に番号付けた機器シーケンス番号”と、複数の音楽配信受信端末（３０）のそれぞれから受信したＩＰアドレスを登録した“ＩＰアドレス”と、それぞれの音楽配信受信端末（３０）をユーザが識別するためのわかりやすい名前をつけた“機器ニックネーム”と、の３つからなり、デバイス管理部（１５）は複数の音楽配信受信端末（３０）の登録、呼出し、削除を行うようになっている。尚、“機器シーケンス番号”が００００の値は、特別な、自分自身のＩＰアドレスが登録されており、更新削除はできないようになっている。例えば、図７においてでは、携帯電話機（１０）自身のＩＰアドレスは２０２．２４７．１３０．５であり、また、ＩＰアドレスが２０２．２４７．１３０．７のポータブルプレーヤーと、ＩＰアドレスが２０２．２４７．１３０．３のホームシアターシステムと、ＩＰアドレスが２０２．２４７．１３０．１０のコンポーネントオーディオとが現在登録されていることを示している。また、最後に登録されたのは、“機器シーケンス番号”が一番大きい（０００３）“コンポーネントオーディオ”であることを示している。
【００２２】
次に、図１と図８と、を参照して、携帯電話機（１０）の楽曲管理部（１６）の内部テーブルについて説明する。内部テーブルのパラメータは、携帯電話機（１０）自らが順番に機器を０から順番に番号付けた“楽曲シーケンス番号”と、それぞれの音楽配信受信端末（３０）に過去に配信を要望した楽曲であり、楽曲に一意に決められている“楽曲ＩＤ”と、それぞれの音楽配信受信端末（３０）に過去に配信を要望した楽曲であり、楽曲の曲名である“楽曲タイトル名”と、各楽曲の配信を指定した音楽配信受信端末（３０）のＩＰアドレスと、の４つからなり、楽曲管理部（１６）は配信を指定した楽曲の登録、呼出し、削除を行うようになっている。例えば、図７では、１番目に、“あい”という曲名で、楽曲ＩＤが“９８３９”の楽曲が、ＩＰアドレスが“２０２．２４７．１３０．３”と“２０２．２４７．１３０．１０”の２つの音楽配信受信端末（３０）に配信されていることを示している。
【００２３】
次に、図１と図９と、を参照して、音楽配信受信端末（３０）の構成について説明する。音楽配信受信端末（３０）は、音楽配信サーバ（２０）との通信を行うインターフェイスである第三通信部（３１）と、該通信の制御を行う第三通信制御部（３２）と、携帯電話機（１０）との通信を行うインターフェイスである第四通信部（３３）と、該通信の制御を行う第四通信制御部（３４）と、自機器の登録の管理を行うデバイス管理部（３５）と、楽曲を管理する楽曲管理部（３６）と、配信された楽曲再生データを再生する再生部（３８）と、楽曲再生データの再生の可否を判断する著作権管理部（３７）と、配信された楽曲再生データを記録蓄積する楽曲蓄積部（３９）と、を有しており、各部はバスライン（ＢＵＳ２）によって接続されている。そして、音楽配信受信端末（３０）は、一度配信された楽曲再生データは、配信された音楽配信受信端末（３０）から他の機器に対して転送もできない仕組みになっている。すなわち、楽曲再生データは、音楽配信サーバ（２０）にて配信される音楽配信受信端末（３０）向けに再生する権利が付加され、音楽配信受信端末（３０）では一度配信された楽曲再生データは外部には出力しないようになっているが、万一、外部へ出力されたとしても、音楽配信受信端末（３０）は再生時に楽曲再生データのデータ構造（図１２）における再生権利データエリア（７３）をチェックするため、再生できないようなしくみになっている。
【００２４】
より詳細に説明すると、第三通信制御部（３２）は、第三通信部（３１）を通じて、音楽配信サーバ（２０）が音楽データを配信したときには、音楽データに関する楽曲ＩＤと合わせて楽曲再生データを受信する。第四通信制御部（３４）は、携帯電話機（１０）において音楽配信受信端末（３０）の登録操作が行われたときには、第四通信部（３３）を通じて携帯電話機（１０）のＩＰアドレスを受信するとともに自らのＩＰアドレスを送信し、再生楽曲の確定操作が行われたときには図６に示す楽曲を再生するメッセージを受信する。また、デバイス管理部（３５）には内部にデバイス（機器）を管理するテーブルを、楽曲管理部（３６）には内部に楽曲を管理するテーブルを有している。
【００２５】
次に、図１と図１０とを参照して、音楽配信受信端末（３０）のデバイス管理部（３５）の内部テーブルについて説明する。図１０に示す内部テーブルのパラメータは、音楽配信受信端末（３０）自らが機器を０から順番に番号付けた“機器シーケンス番号”と、携帯電話機（１０）など本機器が操作される操作機器から受信したＩＰアドレスを登録した“ＩＰアドレス”との２つからなり、デバイス管理部（１５）は各操作機器の登録、呼出し、削除を行うようになっている。尚、“機器シーケンス番号”が００００の値は、特別な、自分自身のＩＰアドレスが登録されていて、更新削除はできないようになっている。例えば、図１０では、音楽配信受信端末（３０）自身のＩＰアドレスは２０２．２４７．１３０．２５であり、また、ＩＰアドレスが２０２．２４７．１３０．２７と、ＩＰアドレスが２０２．２４７．１３０．２８と、ＩＰアドレスが２０２．２４７．１３０．５の操作機器が現在登録されていることを示している。また、最後に登録されたのは、“機器シーケンス番号”が一番大きい０００３の機器であることを示している。
【００２６】
次に、図１と図１１とを参照して、音楽配信受信端末（３０）の楽曲管理部（３６）の内部テーブルについて説明する。内部テーブルのパラメータは、携帯電話機（１０）からの配信操作で音楽配信サーバ（２０）から配信された楽曲であり、音楽配信サーバ（２０）から受信した“楽曲ＩＤ”と、同じく携帯電話機（１０）からの配信操作で音楽配信サーバ（２０）から配信された楽曲であり、楽曲蓄積部（３９）に記録した番地アドレスを示す“楽曲記録セクタ”との２つからなり、楽曲管理部（３６）は配信された楽曲の登録、呼出し、削除を行うようになっている。例えば、図１１では、楽曲ＩＤが“７３８９”で、番地アドレスが“381910”の楽曲が配信記録されていることを示している。
【００２７】
次に、図１と図１２と、を参照して、音楽配信受信端末（３０）が再生する楽曲再生データのデータ構造について説明する。楽曲再生データ（７０）は、本楽曲を再生指定する権利のある機器のＩＰアドレスを格納した操作機器アドレス部（７１）と、再生する権利のある機器のＩＰアドレスを格納した再生機器アドレス部（７２）と、からなる再生権利データエリア（７３）と、楽曲を再生するためのデータである再生データエリア（７４）の２つのエリアからなる。音楽配信受信端末（３０）では、再生操作を指定した携帯電話機（１０）のＩＰアドレスと操作機器アドレス部のＩＰアドレスを、また、デバイス管理部（３５）に記録されている自らのＩＰアドレスと再生機器アドレス部（７２）とを比較確認して、両者それぞれが一致した場合にのみ再生を開始することができるようになっている。
【００２８】
このような仕組みにより、たとえ、本楽曲再生データが、配信された音楽配信受信端末（３０）の外部に転送されたとしても、他の音楽配信受信端末（３０）では再生できないようになっている。尚、本実施の形態においては、再生権利データエリア（７３）を暗号化することにより、よりセキュリティを強固することができる。
【００２９】
次に、図１と図１３とを参照して、音楽配信サーバ（２０）の構成について説明する。音楽配信サーバ（２０）は、携帯電話機（１０）及び音楽配信受信端末（３０）との通信を行う第五通信部（２１）と、該通信の制御を行う第五通信制御部（２２）と、前述配信楽曲リストのデータの情報を蓄積しておき、携帯電話機（１０）の要求に応じて、前述配信楽曲リストのデータを配信するＷＥＢサーバ部（２３）と、楽曲ＩＤと楽曲再生データを蓄積しておき、携帯電話機（１０）の要求に応じて、楽曲ＩＤと楽曲再生データを配信する楽曲サーバ部（２４）とを有しており、各部はバスライン（ＢＵＳ３）にて接続されている。
【００３０】
この構成についてより詳細に説明すると、楽曲サーバ部（２４）は、配信する楽曲再生データに対して配信する際に音楽配信受信端末（３０）が再生する権利情報を付加する楽曲再生データ生成部（２４−１）を有している。第五通信制御部（２２）は、第五通信部（２１）を通じて、配信楽曲の一覧の表示操作が行われたときには、ＷＥＢサーバ部（２３）が配信楽曲リストのデータを送信し、配信楽曲の確定操作が行われたときに楽曲サーバ部（２４）が楽曲を送信するようになっている。
【００３１】
次いで、図１と図１４とを参照して、携帯電話機（１０）が新たな音楽配信受信端末（３０）を登録する処理についてフローチャート図により説明する。図１４に示す処理は、携帯電話機（１０）の登録起動処理（Ｔ１）、登録設定処理（Ｔ２）、音楽配信受信端末（３０）の登録確認処理（Ｔ３）からなる。それぞれの起動処理において、登録起動処理（Ｔ１）は操作部（１９）で機器設定の機能が選択されて起動し、登録確認処理（Ｔ３）は携帯電話機（１０）からのメッセージ（Ｍ１）で起動し、登録設定処理（Ｔ２）は音楽配信受信端末（３０）からのメッセージ（Ｍ２）で起動する。  登録起動処理（Ｔ１）は、ステップＳ１では、携帯電話機（１０）が携帯電話機におけるデバイス管理部（１５）に管理される内部テーブルの“自己アドレス”パラメータから自らのＩＰアドレスを取得、相手を指定しない一斉メッセージ送信（Ｍ１）を行い終了する。
【００３２】
登録確認処理（Ｔ３）は、ステップＳ２において音楽配信受信端末（３０）がステップＳ１で携帯電話機（１０）が送信した一斉メッセージ送信（Ｍ１）を受信し、携帯電話機（１０）のＩＰアドレスを取得してステップＳ３に移る。ステップＳ３では、音楽配信受信端末（３０）がＳ２で受信取得したＩＰアドレスが音楽配信受信端末におけるデバイス管理部（２５）に管理される内部テーブルの“機器シーケンス番号”パラメータの０００１以上に登録されているか否かを判断し、登録されていない場合はステップＳ４へ移行し、登録されている場合には本処理は終了する。
【００３３】
ステップＳ４においては、音楽配信受信端末（３０）がステップＳ２で受信取得したＩＰアドレスを音楽配信受信端末におけるデバイス管理部（３５）に管理される内部テーブルのリストの最後に登録してステップＳ５に移行する。ステップＳ５では、音楽配信受信端末（３０）が自らのＩＰアドレスを音楽配信受信端末におけるデバイス管理部（３５）に管理される内部テーブルの先頭から取得し、ステップＳ２で受信取得した携帯電話機（１０）のＩＰアドレスへメッセージ送信（Ｍ２）を行い終了する。
【００３４】
登録設定処理（Ｔ２）は、ステップＳ６で、携帯電話機（１０）がステップＳ５において音楽配信受信端末（３０）が送信したＩＰアドレスを受信取得してステップＳ７へ移行する。次に、ステップＳ７では、ステップＳ６で受信取得したＩＰアドレスを携帯電話機におけるデバイス管理部（１８）に管理される内部テーブルの最後に新たに登録して終了する。尚、登録確認処理（Ｔ３）は、メッセージ（Ｍ１）を受信した全ての音楽配信受信端末（３０）が、それぞれ処理を行い、加えて、登録設定処理（Ｔ２）は、受信した全てのメッセージ（Ｍ２）に対して処理が行われる。
【００３５】
続いて、図１５を参照して、音楽配信受信端末（３０）が音楽配信サーバ（２０）に指示して音楽配信サーバ（２０）が音楽配信受信端末（３０）に新たな楽曲を配信する処理の流れについてフローチャート図を参照して説明する。
【００３６】
図１５に示す処理は、携帯電話機（１０）の配信確定処理（Ｔ１１）、音楽配信サーバ（２０）の配信処理（Ｔ１２）、音楽配信受信端末（３０）の受信記録処理（Ｔ１３）からなり、それぞれの起動は、配信確定処理（Ｔ１１）は操作部（１９）で配信リスト表示の機能が選択されて起動し、また、配信処理（Ｔ１２）は、音楽配信サーバ（２０）が携帯電話機（１０）からのリクエストメッセージを受信して起動し、受信記録処理（Ｔ１３）は音楽配信サーバ（２０）からのメッセージ（Ｍ１３）で起動するようになっている。
【００３７】
配信確定処理（Ｔ１１）は、ステップＳ２１で、配信楽曲の一覧を要求し、音楽配信サーバ（２０）へ楽曲リストを要求するメッセージ送信（Ｍ１１）を送信し、ステップＳ２２へ移行する。ステップＳ２２では音楽配信サーバ（２０）から楽曲リストのＨＴＭＬ文書を受信取得（Ｍ１１−２）して、ステップＳ２３へ移行する。ステップＳ２３では、ステップＳ２２で受信取得した楽曲リストのＨＴＭＬ文書を表示制御部（１８）でパーサー処理し楽曲タイトル名の一覧をＬＣＤ表示部（１５）に表示してユーザが操作部（１９）にて配信を望む楽曲を確定したか否かが判断され、確定したときに選択された楽曲に対する、楽曲タイトル名と楽曲ＩＤとを、ネットワーク言語解析部（１８）から取得し、ステップＳ２４へ移行する。
【００３８】
ステップＳ２４では、デバイス管理部（１５）から機器ニックネームを一覧取得して、機器ニックネームの一覧をＬＣＤ表示部（１７）に表示しユーザが操作部（１９）において配信を望む複数のコンテンツ受信端末を含む機器が確定するまで待つとともに、確定したか否かを判断し、確定したときに機器全てに対するＩＰアドレスのリストを、デバイス管理部が内部テーブルを参照して取得し、ステップＳ２５へ移行する。ステップＳ２５では、上記ステップＳ２３で取得した楽曲タイトル名と楽曲ＩＤ及びステップＳ２４で取得したＩＰアドレスのリストを楽曲管理部（１６）の内部テーブルに登録して、ステップＳ２６に移行する。ステップＳ２６では、楽曲ＩＤとＩＰアドレスのリストを用いリクエストデータを生成し、ステップＳ２７に移る。ステップＳ２７では、音楽配信サーバ（２０）に楽曲配信の依頼のメッセージ送信（Ｍ１２）を行い、処理を終了する。
【００３９】
一方、音楽配信サーバ（２０）の配信処理（Ｔ１２）は、ステップＳ４０で、リクエストメッセージを受信取得して、ステップＳ４１へ移行する。ステップＳ４１では、リクエストメッセージから、リクエストされた楽曲ＩＤと配信を要望する複数の音楽配信受信端末（３０）のＩＰアドレスのリスト、携帯電話機（１０）のＩＰアドレスを取得し、ステップＳ４２へ進む。ステップＳ４２では、楽曲再生データ生成部（２４−１）がリクエストされた楽曲ＩＤをもとに楽曲蓄積部（３９）から楽曲データを取得し、受信したＩＰアドレスのリストをもとに、操作機器には携帯電話機（１０）のＩＰアドレスを、再生機器には複数の音楽配信受信端末（３０）のそれぞれＩＰアドレスを設定した楽曲再生データを音楽配信受信端末（３０）のそれぞれのＩＰアドレスに応じて別々に生成し、ステップＳ４３へ移行する。ステップＳ４３では、上記ステップＳ４２で生成した、再生機器に自らの複数の音楽配信受信端末（３０）のＩＰアドレスが設定されている楽曲再生データと楽曲ＩＤを該ＩＰアドレスの音楽配信受信端末（３０）宛に、順次メッセージ送信（Ｍ１３）して終了する。
【００４０】
受信記録処理（Ｔ１３）は、ステップＳ５０で、配信データを受信取得してステップＳ５１へ移行する。ステップＳ５１では、楽曲再生データと楽曲ＩＤを取得して、ステップＳ５２へ移行する。ステップＳ５２では、楽曲蓄積部（３９）に楽曲再生データを記録するとともに、その記録アドレスと楽曲ＩＤを楽曲管理部（１６）の内部テーブルに登録して終了する。
【００４１】
すなわち、複数の音楽配信受信端末（３０）に対して新たな楽曲を配信する処理では、携帯電話機からの操作で、複数の音楽配信受信端末（３０）に対して、図１６に示した楽曲再生データの再生権利エリアには“再生機器”に自分自身のアドレスが、“操作機器”には配信をリクエストした携帯電話機のアドレスが付加された楽曲再生データが音楽配信サーバから配信され、記録されるようになっている。
【００４２】
次に、図１６を参照して、携帯電話機（１０）が音楽配信受信端末（３０）に指示して音楽配信受信端末（３０）が配信されている楽曲を再生する処理についてフローチャート図に基づいて説明する。図１６に示すように、この処理は、携帯電話機（１０）の再生指示処理（Ｔ１５）、音楽配信受信端末（３０）の再生起動処理（Ｔ１６）からなり、それぞれの起動は、再生指示処理（Ｔ１５）は操作部（１９）で再生の機能が選択されて起動し、また、再生起動処理（Ｔ１６）は携帯電話機（１０）からの再生メッセージ（Ｍ１４）で起動するようになっている。
【００４３】
再生指示処理（Ｔ１５）は、始めに、ステップＳ５０で楽曲管理部（１６）が図８に示す内部テーブルを参照し、楽曲タイトル名を一括取得してＬＣＤ表示部（１７）にリスト表示させて操作部におけるユーザの再生する楽曲の確定を検出し、楽曲ＩＤを取得してステップＳ５１へ進む。ステップＳ５１では、楽曲管理部（１６）が管理する図８に示した内部テーブルに基づいて、再生する楽曲に対する“楽曲再生データ保有機器”パラメータからＩＰアドレスを一括取得し、取得したＩＰアドレスのリストをもとにデバイス管理部（１５）が図７に示す内部テーブルを参照して各音楽配信受信端末（３０）のニックネームをＬＣＤ表示部（１７）にリスト表示して操作部でのユーザの再生する音楽配信受信端末（３０）の確定を検出しＩＰアドレスを取得して、ステップＳ５２へ進む。ステップＳ５２では、ステップＳ５１で取得したＩＰアドレスと、ステップＳ５０で取得した楽曲ＩＤをもとに、図６に示す楽曲再生のメッセージ（Ｍ１４）を作成する。ステップＳ５３では、ステップＳ５２で作成したメッセージを、ステップＳ５３で指定されたＩＰアドレスの音楽配信受信端末（３０）に送信して終了する。
【００４４】
一方、再生起動処理（Ｔ１６）は、始めに、ステップＳ６０で上記再生指示処理（Ｔ１５）のステップＳ５３で携帯電話機（１０）が送信したメッセージを受信し、ステップＳ６１へ移行する。ステップＳ６１では、メッセージから楽曲ＩＤと携帯電話機（１０）のＩＰアドレスとを取得し、ステップＳ６２へ移行する。ステップＳ６２では、著作権管理部（３７）がステップＳ６１で取得した携帯電話機（１０）のＩＰアドレスと楽曲再生データの操作機器アドレスが同じかについてと、デバイス管理部に記録されている音楽配信受信端末（３０）自らのＩＰアドレスが同じか否かが判定され、両者がそれぞれ一致すればステップＳ６３へ移行する。ステップＳ６３では、再生部（３８）が図に示した楽曲再生データ（７０）の再生データエリア（７４）を順次読出して再生を開始し、順次、最後まで再生する。一致しない場合は、再生権利が不正であると判断されるため、携帯電話機（１０）に再生権利エラーのメッセージを送信するようになっている。
【００４５】
一方、再生エラー処理（Ｔ１７）は、上記再生権利エラーのメッセージ（Ｍ１５）を受信して起動し、ステップＳ６４において、例えば、ＬＣＤ表示部（１７）に“音楽再生データが不正のため再生できませんでした”という警告のメッセージを表示して終了する。
【００４６】
以上説明したように、本実施の形態においては、携帯電話機、音楽配信受信端末、音楽配信サーバ間の機器の識別情報は、ＩＰｖ４のＩＰアドレスを用いたが、これは、ＩＰｖ６のアドレスを用いることも可能である。また、ＩＰアドレス以外にも、それぞれが識別できる機器ＩＤを割当ててもよい。また、上記においては、インターネットを用いた音楽配信サービスとしたが、コンテンツは音楽以外であっても構わなく、また、ネットワークはインターネット以外の家庭内などのＬＡＮ（Ｌｏｃａｌ  Ａｒｅａ  Ｎｅｔｗｏｒｋ）であってもよい。また、操作する機器は、携帯電話機以外にもＰＤＡや、操作するための専用装置やＰＣなどに適用しても良い。
【００４７】
以上に説明したように、本実施の形態による音楽配信システムによれば、ユーザは１つの操作機器で一括して複数の配信受信端末のコンテンツに関する操作を一括して行うことができる。これにより、操作機器および配信受信端末の操作性を向上させることができ、さらに、操作機器を用いてコンテンツ配信サービスについても操作性、著作権的にも優れたサービスを構築することができる。また、サービスは、再生する機器を限定して楽曲を配信することが可能なため、台数に応じた料金体系を設定することができ、例えば、少ない台数の場合にはより安価な料金にすることもでき、サービスをより活性化させることができる。
【図面の簡単な説明】
【００４８】
【図１】本実施の形態におけるコンテンツ配信システムの概念を表す図である。
【図２】本実施の形態によるコンテンツ配信システムにおける配信コンテンツの再生までの状態遷移を表す図である。
【図３】本実施の形態による携帯電話機の構成例を示す機能ブロック図である。
【図４】本実施の形態による音楽配信サーバが携帯電話機に配信する配信楽曲リストのデータ例を示す図である。
【図５】携帯電話機が音楽配信サーバに送信する楽曲配信のリクエストメッセージ例を示す図である。
【図６】携帯電話機が音楽配信受信端末に送信する楽曲再生のリクエストメッセージ例を示す図である。
【図７】携帯電話機におけるデバイス管理部が管理する内部テーブルを示す図である。
【図８】携帯電話機における楽曲管理部が管理する内部テーブルを示す図である。
【図９】本実施の形態による音楽配信受信端末の構成例を示す機能ブロック図である。
【図１０】音楽配信受信端末におけるデバイス管理部が管理する内部テーブルの例を示す図である。
【図１１】音楽配信受信端末における楽曲管理部が管理する内部テーブルの例を示す図である。
【図１２】音楽配信受信端末が再生する楽曲再生データのデータ構造例を示す図である。
【図１３】本実施の形態による音楽配信サーバの構成例を示す機能ブロック図である。
【図１４】携帯電話機が新たな音楽配信受信端末を登録する処理の流れを示すフローチャート図である。
【図１５】音楽配信受信端末が音楽配信サーバに指示して音楽配信サーバが音楽配信受信端末に新たな楽曲を配信する処理の流れを示すフローチャート図である。
【図１６】音楽配信受信端末に記録されている楽曲を再生する処理の流れを示すフローチャート図である。
【符号の説明】
【００４９】
１‥操作機器、２‥コンテンツ配信サーバ、３‥配信受信端末、１０‥携帯電話機、１１‥第一通信部、１２‥第一通信制御部、１３‥第二通信部、１４‥第二通信制御部、１５‥デバイス管理部、１６‥楽曲管理部、１７‥ＬＣＤ表示部、１８‥ネットワーク言語解析部、１９‥操作部、２０‥音楽配信サーバ、２１‥第五通信部、２２‥第五通信制御部、２３‥ＷＥＢサーバ部、２４‥楽曲サーバ部、２４−１‥楽曲再生データ生成部、３０‥音楽配信受信端末、３１‥第三通信部、３２‥第三通信制御部、３３‥第四通信部、３４‥第四通信制御部、３５‥デバイス管理部、３６‥楽曲管理部、３７‥著作権管理部、３８‥再生部、３９‥楽曲蓄積部、ＢＵＳ１‥携帯電話機の各部をつなぐバスライン、ＢＵＳ２‥音楽配信受信端末の各部をつなぐバスライン、ＢＵＳ３‥音楽配信サーバの各部をつなぐバスライン、Ｔ１‥携帯電話機の登録起動処理、Ｔ２‥携帯電話機の登録設定処理、Ｔ３‥音楽配信受信端末の登録確認処理、Ｔ１１‥携帯電話機の配信確定処理、Ｔ１２‥音楽配信サーバの配信処理、Ｔ１３‥音楽配信受信端末の受信記録処理、Ｔ１５‥携帯電話機の再生指示処理、Ｔ１６‥音楽配信受信端末の再生起動処理。
【図１】
2005202879.tif 000003
【図２】
2005202879.tif 000004
【図３】
2005202879.tif 000005
【図４】
2005202879.tif 000006
【図５】
2005202879.tif 000007
【図６】
2005202879.tif 000008
【図７】
2005202879.tif 000009
【図８】
2005202879.tif 000010
【図９】
2005202879.tif 000011
【図１０】
2005202879.tif 000012
【図１１】
2005202879.tif 000013
【図１２】
2005202879.tif 000014
【図１３】
2005202879.tif 000015
【図１４】
2005202879.tif 000016
【図１５】
2005202879.tif 000017
【図１６】
2005202879.tif 000018